(57)【特許請求の範囲】
【請求項１】
帯板状の幅中央部にリブとなる上下両屈折片を突設して幅広い蟻溝が正面に開口して形成され、上下両端部には折れ形に屈折リブが形成されたアルミ押出形材の１または上下１対の基着面レールが主体であって、壁面に固着する固定手段を備えたこの基着面レールと、テレビに直接若しくは縦フレームを介してねじ止めし突設する鍔金付きの係止ボルトとからなり、その係止ボルトが前記基着面レールの左右において蟻溝に係合することでテレビが上端掛けの受け形態となるように、蟻溝を構成する上下屈折片のうちの上部屈折片のみが切欠かれ下部屈折片が鍔金の受けとなる受入口を設けてあり、蟻溝に鍔金が上下両屈折片に対し共に深く係合されるよう受入口から所定個所にスライド可能であることを特徴とするテレビ壁掛用の取付金具。
【請求項２】
基着面レールにおいて、屈折リブは、上部斜辺と下部斜片とからなる山折れのく字形であるとともに、上部斜片の内面に下部斜片と平行に突条が突設してあって、壁面に対する基着面レールの前記固定手段として、屈折リブには下部斜片と突条との間の間隙を案内として斜めに打ち込む傾斜ピンの通し細長孔を設けてあることを特徴とする請求項１記載のテレビ壁掛用の取付金具。
【請求項３】
蟻溝と係合する鍔金付の係止ボルトのずれを防止し得るように該係止ボルトのロック装置を設け、そのロック装置は、係止ボルトを止めるロックビスが取付け可能にネジ孔が蟻溝の屈折片に設けて構成してあることを特徴とする請求項１又は２記載のテレビ壁掛用の取付金具。
【請求項４】
基着面レールは、押出成形によりリブとなるポケット付きに形成されており、上下１対の基着面レールについて、その両方の間隔を保持する左右１対のジョイント部材を備えており、ジョイント部材は、ポケットに通し得る太さの線材の両端部が屈折されたコ字形であることを特徴とする請求項１、２又は３記載のテレビ壁掛用の取付金具。
【請求項５】
上下一対の基着面レールに対して、テレビ側に左右一対の縦フレームを具備してなり、両縦フレームの各両端部に蟻溝と係合する係止ボルトを突設し、鍔金付の係止ボルトの連結により両基着面レールに対して両縦フレームを井桁状に組み合わせ得るように構成され、テレビが両縦フレームを介して両基着面レールに支持され得るようになされていることを特徴とする請求項１，２，３又は４記載のテレビ壁掛用の取付金具。
【請求項６】
テレビを角度調整可能にする手段として、井桁状に組まれる前記両縦フレームに対してテレビに固着される搖動部材をそれぞれ配列するとともに、それを縦フレームに下端で搖動可能に軸支し、縦フレームと搖動部材との上端に相互に差し合う連結アームを突設し、両方の連結アームに相互に段階的に合わさる連結ボルトの通し用の止孔を配設してあることを特徴とする請求項５記載のテレビ壁掛用の取付金具。
【発明の詳細な説明】
【技術分野】
【０００１】
この発明は、薄型のテレビを壁面に配置するためのテレビ壁掛用の取付金具に関する。
【背景技術】
【０００２】
薄型テレビは、一般的にテーブル等の上に置いたり壁に掛けたりして配置されるが、壁に掛けるときには別途に取付金具が使用される。
【０００３】
従来の壁掛用の取付金具は、壁にビス止めにより固定される広い板状基盤と、それに掛止する左右一対の縦フレームと、テレビの裏側に螺着される複数の係止ボルトとからなるもので、両縦フレームに係止ボルトが掛け止められるように、縦フレームに係止ボルトの係合孔が設けられていた。なお、店頭に陳列される販売時のテレビには、背面に係止ボルトが螺着されるネジ孔が上下に２，３個づつ設けられているので、取付金具にはこの係止ボルトが使用される。
【０００４】
主材の板状基盤は、壁面に固着するために取付ビスの通し孔が設けられ要所をビスで固定されるようになっていた。また、基盤に左右１対において縦フレームを調整可能に取り付けるために、基盤の上下両端縁に、それぞれ縦フレームの掛止片が掛かる係止孔が横列に配設されていた。
【発明の概要】
【発明が解決しようとする課題】
【０００５】
上記のような従来のテレビ壁掛用の取付金具によれば、所定の機能を確保するために複雑に抜穴のある成形加工が施されたもので、板状ではあるが放熱の必要から弱体を招く窓孔が多く構造が複雑であり、しかも強度が十分ではなく、また、取付け作業も容易ではなかった。
【０００６】
特に、取付け対象としての壁が軟弱な石膏ボードや発泡プラスチック等であると、取付ビスのネジが効かないために、抜けやすく取付け強度が不足することから、テレビの壁面設置に信頼性が得られないという問題もあった。
【０００７】
この発明は、上記のような実情に鑑みて、壁面の材質の硬軟に対応し、たとえ石膏ボードのような脆弱壁面であっても安心できるテレビの取付け強度が得られ、しかも構造が簡単で取付け作業も容易となり、放熱性も良好であるテレビ壁掛け金具を安価に提供することを課題とした。
【課題を解決するための手段】
【０００８】
上記の課題を解決するために、この発明は、帯板状の幅中央部にリブとなる上下両屈折片を突設して幅広い蟻溝が正面に開口して形成され、上下両端部には折れ形に屈折リブが形成されたアルミ押出形材の１または上下１対の基着面レールが主体であって、壁面に固着する固定手段を備えたこの基着面レールと、テレビに直接若しくは縦フレームを介してねじ止めし突設する鍔金付きの係止ボルトとからなり、その係止ボルトが前記基着面レールの左右において蟻溝に係合することでテレビが上端掛けの受け形態となるように、蟻溝を構成する上下屈折片のうちの上部屈折片のみが切欠かれ下部屈折片が鍔金の受けとなる受入口を設けてあり、蟻溝に鍔金が上下両屈折片に対し共に深く係合されるよう受入口から所定個所にスライド可能であることを特徴とするテレビ壁掛用の取付金具を提供する。
【０００９】
テレビの取付形態は、原理的には「上端掛け」であって、これについては、家具等の壁掛けにおいて一般化されている方式で、家具を例に言えば上端部で壁等に簡単に掛け止めると、そこを支点に荷重がはたらくことで下端部が壁面などに圧接することにより家具が固定される。本願の発明で言えば、基着面レールの蟻溝に係止ボルトが先端の鍔金で係合する「上端掛け」（または「上部掛け」）だけでもテレビが安定して支持される。
【００１０】
テレビ壁掛用の取付金具を上記のように構成したから、これを使用するときには、室内の壁面に基着面レールを張り付けるように固定し、テレビには鍔金付の係止ボルトをネジ付けで突設しておいて、テレビを抱えながら、鍔金を蟻溝の受入口に落とし込む。そうすると、荷重の大半が下の屈折片で受けられるので、重みから解放された状態において鍔金を蟻溝の下部の屈折片上に横滑りさせることにより所定個所まで至らせ、必要に応じてずれ止めの手段を講じてテレビを取り付けることができる。
【００１１】
壁面に対する固定について基着面レールは、巾中央の蟻溝形のリブと上下両端の屈折リブとの均等な配置により全体が安定した強度と壁面に対する均一な密着状態を保持する。このため、壁面が木材等の硬質であればビス止めし、石膏ボード等の脆弱質であると交差によるピン止をすることにより、それぞれ安定して基着面レールを強固に固着できる。
【発明の効果】
【００１２】
以上説明したように、この発明のテレビ壁掛用の取付金具によれば、テレビの荷重が集中する基部としての基着面レールが加工が少なに単なる押出形材であっても、蟻溝の凸型リブや山折れリブで均等に補強された構造により強固に荷重を支持でき、しかも、蟻溝に鍔金付係止ボルトを容易に掛け得るため、テレビの設置が容易で作業性も良好であり、しかも、形材として面の広がりがないので、テレビの放熱性が良好であり、押出形材の特性から安価な提供に適する等の優れた効果がある。
【図面の簡単な説明】
【００１３】
【図１】この発明の要部を示すテレビ壁掛用の取付金具の分解斜視図である。
【図２】同取付金具のビス止め状態と縦フレームの引っ掛け要領とを示す斜視図である。
【図３】ビスによる基着面レールの取付け要領を示す斜視図である。
【図４】図３に対応してピンによる取付け要領を示す斜視図である。
【図５】基着面レールに対する係止ボルトの連結によりテレビを取り付けた状態を示す横から見た断面図である。
【図６】同じく係止ボルトの係止状態を示す基着面レールの正面図である。
【図７】この発明に係るテレビ壁掛用の取付金具について、部材の組立て配置例を示す説明図である。
【図８】テレビを角度調整可能に設置出来るようにした、この発明に係るテレビ壁掛用の取付金具の一部を示す斜視図である。
【発明を実施するための形態】
【００１４】
この発明においては、テレビの壁掛けは「テレビの上端掛け」が基本形態である。上端掛けは家具類の壁掛けに広く適用される一般的な方式であって、家具類を上端で壁面に結合すると（例えば釘付け）、下端部の結合の有無にかかわらず取付が安定する。また、後記実施例では基着面レール１が上下１対の２部材で使用される場合を説明するが、そうとは限らなく、１部材でも使用され得る。また、実施例にかかわらず、係止ボルト３は、テレビTの裏側の既設ネジ孔に直接ネジ付けても良い。しかし、実施例に示すように縦フレーム５、５の使用があると井桁状の組合せとなって、テレビの支持がより安定する。
【実施例１】
【００１５】
テレビ壁掛用の取付金具は、壁面Wに取り付けられる上下１対の基着面レール１，１と、その両方の間隔を定めるジョイント部材２，２と、両方の基着面レール１，１に掛かる係止ボルト３，３及びそれを配列する縦フレーム５，５とからなる。なお、縦フレーム５，５を使用しない場合もあることは前記した通りである。
【００１６】
基着面レール１には、これを壁面Ｗに固定するためのビス７と、頭部付き直ピン９及び斜め打ち込み用傾斜ピン１０とを備えている。なお、このビス7と、直ピン９及び傾斜ピン１０とは、基本的には壁面Ｗの硬軟材質に対応して選択的に使用される。
【００１７】
基着面レール１は、アルミ押出形材からなり、押出の形態については、壁面Ｗに密接する帯状に形成されるが、その幅中央部に前方に開口する蟻形の掛止溝１１が突設される。また、帯状の上端近傍と下端近傍には三角山形に突出する屈折リブ１３，１３が形成され、上端と掛止溝１１の下側位置とにはポケット１５，１５がそれぞれ形成される。なお、山形の屈折リブ１３，１３は、内部にリブ補強となる突条１４，１４を有している。１８は取付ビス７の通し孔であるが、その真上に傾斜ピン９の通し細孔２２が見つけやすく穿設される。
【００１８】
掛止溝１１は、係止ボルト３が移動可能に挟まれるよう、Ｌ字形の屈折片１７，１７が相対向し突設されてなる蟻溝で、レールの両端部近くにおいて、スライド案内の受入口１９，１９がどちらか選択可能に一対づつ切欠きにより開口される。そして、受入口１９からスライドした位置に係止ボルト３の移動を阻止するロックビス２０が上部屈折片１７のネジ孔２４に垂下可能に螺着される。これがロック装置であって、３０も係止ボルト３のスライドを防止するロックネジであって、これは下部屈折片１７に螺着される。
【００１９】
屈折リブ１３は、く字形の山折れした突出形状であって、上部斜片１３aと下部斜片１３ｂとからなり、上部斜片１３aの内面（下面）には前記内部突条１４が突設される。その突条１４は下部斜片１３ｂと平行に形成され、下部斜片１３ｂとの間に傾斜ピン１０が通る案内のための僅かな間隙２１が開けられている。そして、上部斜片１３aには、案内溝２１の位置に沿った細長孔２３，２３が穿設される。細長孔２３の配置は、ピンがクロスするよう要所毎に左右一対づつ配列される。
【００２０】
係止ボルト３は、ネジ軸２５に頭部２６付きのボルトであって、ネジ軸２５に円板形の鍔金２７と筒形胴部片２８を嵌めて一体化し、胴部片２８よりネジ軸２５の端部が雄ネジとして突出している。したがって、縦フレーム５のネジ孔３１に螺入すると鍔金２７が引っ掛け可能に突出した状態となる(図２、図５)。なお、この係止ボルト３は、テレビTの裏側のネジ孔に直接螺入して突出させて使用することもあることは前述の通りである。
【００２１】
縦フレーム５，５は、帯金状であって、上下両端部に、テレビTの裏側に固定するための取付ボルト３３の通孔３５と、係止ボルト３を突出させる螺着孔３１，３１とが穿設される。
【実施例２】
【００２２】
図８は、テレビTを傾斜の角度調整可能に設置する場合を示す。その取付金具は、テレビTの裏側に固着する搖動部材３７、３７が具備されたものである。つまり、縦フレーム５，５の下端に搖動部材３７，３７をピン３９で連結し、縦フレーム５と搖動部材３７との上端に相互に差し合う連結アーム４１，４２を突設し、両方の連結アーム４１，４２に相互に合致し得る止孔４３，４４が配列され、双方の止孔４３，４４が合致した孔に連結ボルト４５を通し、ナット４６で締め付けることにより、両連結アーム４１，４２が連結され、こうして調整した角度が保持されるようになっている。
【符号の説明】
【００２３】
W  壁面
T  テレビ
１  基着面レール
２  ジョイント部材
３  係止ボルト
５  縦フレーム
７  ビス
９  直ピン
１０  傾斜ピン
１１  掛止溝（蟻溝）
１３  屈折リブ
１３ａ  上部斜片
１３ｂ  下部斜片
１４  突条
１５  ポケット
１７  屈折片
１８  通し孔
１９  受入口
２０  ロックビス
２１  間隙
２２  細孔
２３  細長孔
２４  ネジ孔
２７  鍔金
３０  ロックビス
３７  搖動部材
３９  ピン
４１，４２  連結アーム
４３，４４  止孔
４５  連結ボルト
【図１】
0006494017.tif 000002
【図２】
0006494017.tif 000003
【図３】
0006494017.tif 000004
【図４】
0006494017.tif 000005
【図５】
0006494017.tif 000006
【図６】
0006494017.tif 000007
【図７】
0006494017.tif 000008
【図８】
0006494017.tif 000009